(57)【要約】【課題】部品点数が増加するのを抑制しながら、前側筐体と後側筐体との取付部分近傍にビビリ音が発生するのを抑制することが可能なスピーカ装置を提供する。【解決手段】このスピーカ（スピーカ装置）１００は、スピーカ本体３が取り付けられた、前面部１０の表面から突出するように前面部１０と一体的に形成された側壁部１１を含むバッフル１と、バッフル１と共に箱形状を構成するようにバッフル１に取り付けられ、後面部２１の表面からバッフル１に向かって突出するように後面部２１と一体的に形成された側壁部２２を含むエンクロージャー２とを備える。また、エンクロージャー２は、バッフル１の側壁部１１のエンクロージャー２側の接合端面１２と、エンクロージャー２の側壁部２２のバッフル１側の接合端面２３とが接触するようにして、バッフル１に取り付けられている。【選択図】図１
2009147570.tif 000002
【特許請求の範囲】
【請求項１】
スピーカ本体と、
前記スピーカ本体を取り付けるための前面部と、前記前面部の表面から後方に向かって突出するように前記前面部と一体的に形成された第１側壁部とを含む前側筐体と、
前記前側筐体と共に箱形状を構成するように前記前側筐体に取り付けられ、後面部と、前記後面部の表面から前記前側筐体に向かって突出するように前記後面部と一体的に形成された第２側壁部とを含む後側筐体とを備え、
前記後側筐体は、前記前側筐体の第１側壁部の前記後側筐体側の第１接合端面と、前記後側筐体の第２側壁部の前記前側筐体側の第２接合端面とが接触するようにして、前記前側筐体に取り付けられている、スピーカ装置。
【請求項２】
前記前側筐体の第１側壁部は、前記前面部に対して略直交するように形成されており、
前記後側筐体の第２側壁部は、前記後面部に対して略直交するように形成されている、請求項１に記載のスピーカ装置。
【請求項３】
前記前側筐体の第１側壁部の前記前面部の表面と直交する方向の長さと、前記後側筐体の第２側壁部の前記後面部の表面と直交する方向の長さとは、略等しい長さを有する、請求項２に記載のスピーカ装置。
【請求項４】
前記第１側壁部を有する前記前側筐体と、前記第２側壁部を有する前記後側筐体とは、同一材料により形成されている、請求項１〜３のいずれか１項に記載のスピーカ装置。
【請求項５】
前記前側筐体の前記前面部は、スピーカ本体取付部を含み、
前記スピーカ本体取付部は、平面的に見て、凸形状の補強部を有するように形成されている、請求項１〜４のいずれか１項に記載のスピーカ装置。
【請求項６】
前記前側筐体と前記後側筐体とを固定するためのネジ部材を備え、
前記前側筐体と前記後側筐体とは、前記第１側壁部の第１接合端面と前記第２側壁部の第２接合端面とが面接触した状態で、前記ネジ部材により固定されるように構成されている、請求項１〜５のいずれか１項に記載のスピーカ装置。
【発明の詳細な説明】
【技術分野】
【０００１】
この発明は、スピーカ装置に関し、特に、スピーカ本体を備えたスピーカ装置に関する。
【背景技術】
【０００２】
従来、スピーカ本体を備えたスピーカ装置が知られている（たとえば、特許文献１〜４参照）。
【０００３】
上記特許文献１には、スピーカ本体と、スピーカ本体が取り付けられた平板状のバッフル（前側筐体）と、半球形状のバックカバー（後側筐体）とを備えたスピーカキャビネット（スピーカ装置）が開示されている。このスピーカキャビネットのバッフルは、バックカバーの前部を覆うようにその前端部に取り付けられている。
【０００４】
また、上記特許文献２には、スピーカユニット（スピーカ本体）と、スピーカユニットが取り付けられた箱状の前面バッフル（前側筐体）と、前面バッフルの後端部に配置された平板状の裏板（後側筐体）と、前面バッフルおよび裏板とは異なる材質により形成され、前面バッフルと裏板とを接続する裏板固定用介在物とを備えたスピーカシステム（スピーカ装置）が開示されている。このスピーカシステムの裏板固定用介在物は、前面バッフルと裏板とが共振するのを抑制するために設けられている。
【０００５】
また、上記特許文献３には、スピーカユニット（スピーカ本体）と、スピーカユニットに取り付けられた箱状の前面バッフル（前側筐体）と、前面バッフルの後部を覆うようにその後端部に配置された平板状の裏板（後側筐体）とを備えたスピーカシステム（スピーカ装置）が開示されている。このスピーカシステムの裏板は、前面バッフルから裏板に突出するように形成された複数のボスに対してネジ止めされることにより、前面バッフルに取り付けられている。
【０００６】
また、上記特許文献４には、スピーカ本体と、スピーカ本体が取り付けられ、平板状の前面バッフル板（前側筐体）と、箱状のエンクロージャー本体（後側筐体）と、各一方端がエンクロージャーに接続されるとともに、各他方端が前面バッフル板に接続された状態で、エンクロージャーと前面バッフル板との間に配置された複数のコイルスプリングとを備えたスピーカの構造（スピーカ装置）が開示されている。このスピーカの構造のコイルスプリングは、前面バッフル板とエンクロージャー本体とが共振するのを抑制するために設けられている。
【０００７】
【特許文献１】特開平０３−１０１５００号公報
【特許文献２】特開昭６３−０７４２９６号公報
【特許文献３】特開昭６３−０７４２９８号公報
【特許文献４】特開平０７−２１２８８９号公報
【発明の開示】
【発明が解決しようとする課題】
【０００８】
しかしながら、上記特許文献１に記載のスピーカキャビネットでは、平板状のバッフル（前側筐体）は、スピーカ本体が振動するのに伴って、前後方向に振動される一方、バックカバーの前部のバッフルとの取付部分近傍は、スピーカ本体から発せられる振動によりバッフルの振動方向と略直交する方向に振動されるため、バックカバーとバッフルとの取付部分で振動方向（振動成分）が異なる。このため、バックカバーの前部のバッフルとの取付部分近傍からビビリ音が発生する場合があるという問題点があると考えられる。
【０００９】
また、上記特許文献２に記載のスピーカシステムでは、前面バッフルと、裏板とが共振するのを抑制する裏板固定用介在物が設けられているため、裏板固定用介在物の分、部品点数が増加するという問題点がある。
【００１０】
また、上記特許文献３に記載のスピーカシステムでは、平板状の裏板（後側筐体）は、スピーカユニットから発せられる振動を前後方向（裏板表面に対して垂直方向）で受ける一方、前面バッフル板の後部の裏板との取付部分近傍は、スピーカユニットから発せられる振動により裏板の振動方向と交差する方向に振動されるため、前面バッフル板と裏板との取付部分で振動方向（振動成分）が異なる。このため、前面バッフル板の後部の裏板との取付部分近傍からビビリ音が発生する場合があるという問題点があると考えられる。
【００１１】
また、上記特許文献４に記載のスピーカの構造では、平板状の前面バッフル板と、エンクロージャー本体とが共振するのを抑制する複数のスプリングが設けられているため、複数のスプリングが設けられている分、部品点数が増加するという問題点がある。
【００１２】
この発明は、上記のような課題を解決するためになされたものであり、この発明の１つの目的は、部品点数が増加するのを抑制しながら、前側筐体と後側筐体との取付部分近傍にビビリ音が発生するのを抑制することが可能なスピーカ装置を提供することである。
【課題を解決するための手段および発明の効果】
【００１３】
この発明の一の局面によるスピーカ装置は、スピーカ本体と、スピーカ本体を取り付けるための前面部と、前面部の表面から後方に向かって突出するように前面部と一体的に形成された第１側壁部とを含む前側筐体と、前側筐体と共に箱形状を構成するように前側筐体に取り付けられ、後面部の表面と、後面部から前側筐体に向かって突出するように後面部と一体的に形成された第２側壁部とを含む後側筐体とを備え、後側筐体は、前側筐体の第１側壁部の後側筐体側の第１接合端面と、後側筐体の第２側壁部の前側筐体側の第２接合端面とが接触するようにして、前側筐体に取り付けられている。
【００１４】
この一の局面によるスピーカ装置では、上記のように、後側筐体を、前側筐体の第１側壁部の後側筐体側の第１接合端面と、後側筐体の第２側壁部の前側筐体側の第２接合端面とが接触するようにして、前側筐体に取り付けることによって、前側筐体および後側筐体の少なくともいずれか一方側が平板状に形成されている場合とは異なり、前側筐体および後側筐体の両方が側壁部（第１側壁部および第２側壁部）を備えた同様の構造になるので、各々の側壁部の端面である第１接合端面および第２接合端面における振動成分を互いに近似した振動成分にすることができる。これにより、前側筐体と、後側筐体との取付部分近傍でビビリ音が発生するのを抑制することができる。また、前面部の表面から後方に向かって突出するように前面部と一体的に形成された第１側壁部を含む前側筐体と、後面部の表面から前側筐体に向かって突出するように後面部と一体的に形成された第２側壁部を含む後側筐体とを設けることによって、ビビリ音が発生するのを抑制する部材を別途設けることなく、ビビリ音が発生するのを抑制することができるので、部品点数が増加するのを抑制することができる。
【００１５】
上記一の局面によるスピーカ装置において、好ましくは、前側筐体の第１側壁部は、前面部に対して実質的に直交するように形成されており、後側筐体の第２側壁部は、後面部に対して略直交するように形成されている。このように構成すれば、前面部と後面部との両方に対して垂直な第１側壁部および第２側壁部を有するスピーカ装置を得ることができる。
【００１６】
この場合において、好ましくは、前側筐体の第１側壁部の前面部の表面と直交する方向の長さと、後側筐体の第２側壁部の後面部の表面と直交する方向の長さとは、略等しい長さを有する。このように構成すれば、前側筐体の第１側壁部の第１接合端面と、後側筐体の第２側壁部の第２接合端面との両方の端面近傍における振動成分をより近似した振動成分にすることができる。これにより、前側筐体と、後側筐体との取付部分でよりビビリ音が発生するのを抑制することができる。
【００１７】
上記一の局面によるスピーカ装置において、好ましくは、第１側壁部を有する前側筐体と、第２側壁部を有する後側筐体とは、同一材料により形成されている。このように構成すれば、振動が前側筐体から後側筐体に伝わる際に、振動方向や振動の大きさを変化させることなく伝えることができる。これにより、第１側壁部の第１接合端面と、第２側壁部の第２接合端面との両方の端面近傍に伝わる振動成分をさらに近似した振動成分にすることができるので、前側筐体と、後側筐体との取付部分でさらにビビリ音が発生するのを抑制することができる。
【００１８】
上記一の局面によるスピーカ装置において、好ましくは、前側筐体の前面部は、スピーカ本体取付部を含み、スピーカ本体取付部は、平面的に見て、凸形状の補強部を有するように形成されている。このように構成すれば、スピーカ本体から発生される振動によって、スピーカ本体取付部が破損するのを抑制することができる。
【００１９】
上記一の局面によるスピーカ装置において、好ましくは、前側筐体と後側筐体とを固定するためのネジ部材を備え、前側筐体と後側筐体とは、第１側壁部の第１接合端面と第２側壁部の第２接合端面とが面接触した状態で、ネジ部材により固定されるように構成されている。このように構成すれば、前側筐体の内部と後側筐体の内部とが密閉された状態で、前側筐体を後側筐体に対して固定することができる。
【発明を実施するための最良の形態】
【００２０】
以下、本発明を具体化した実施形態を図面に基づいて説明する。
【００２１】
図１は、本発明の一実施形態によるスピーカの全体構成を示した斜視図である。また、図２〜図６は、図１に示した本発明の一実施形態によるスピーカの詳細な構造を示した図である。まず、図１〜図６を参照して、本発明の一実施形態によるスピーカ１００の構成について説明する。なお、本実施形態では、スピーカ装置の一例である密閉型のスピーカ１００に本発明を適用した場合について説明する。
【００２２】
本発明の一実施形態による密閉型のスピーカ１００は、図１および図２に示すように、樹脂製のバッフル１と、バッフル１と同一材料の樹脂により形成されるエンクロージャー２と、スピーカ本体３と、４つのネジ４と、４つのナット５と、バッフル１とエンクロージャー２とを固定するための４つのネジ６とから構成されている。なお、バッフル１、エンクロージャー２および４つのネジ６は、それぞれ、本発明の「前側筐体」、「後側筐体」および「ネジ部材」の一例である。
【００２３】
スピーカ１００のバッフル１には、図２に示すように、前面部１０と、側壁部１１と、接合端面１２と、補強部１３と、スピーカ本体取付穴１４と、４つのネジ挿入穴１５と、４つのネジ挿入穴１６と、面取部１７と、曲面部１８（図６参照）とが設けられている。なお、側壁部１１、接合端面１２およびスピーカ本体取付穴１４は、それぞれ、本発明の「第１側壁部」、「第１接合端面」および「スピーカ本体取付部」の一例である。
【００２４】
ここで、本実施形態では、図２〜図４に示すように、前面部１０は、正面（矢印Ｘ２方向側）から見て、四角形状を有している。また、側壁部１１は、図６に示すように、前面部１０の表面から後述するエンクロージャー２の接合端面２３方向側（矢印Ｘ１方向側）に向かって突出するように、前面部１０と一体的に形成されている。また、前面部１０と、側壁部１１との内側には、曲面状に形成された曲面部１８が設けられている。また、接合端面１２は、側壁部１１の矢印Ｘ１方向側の端部に設けられている。また、側壁部１１は、前面部１０の外周側面の全周にわたって形成されており、接合端面１２も、側壁部１１と同様に、側壁部１１の矢印Ｘ１方向側の端部の全周にわたって形成されている。この接合端面１２は、平坦面状に形成されており、バッフル１の接合端面１２と、後述するエンクロージャー２の接合端面２３とは、全面接触した状態で取り付けられるように構成されている。また、前面部１０の中心付近には、平面的に見て、凸形状を有する補強部１３が形成されている。この補強部１３は、図３に示すように、正面（矢印Ｘ２方向側）から見て四角形状を有している。また、補強部１３には、図２に示すように、スピーカ本体３を取り付けるための円形状のスピーカ本体取付穴１４が形成されている。また、補強部１３には、円形状の４つのネジ挿入穴１５が形成されている。
【００２５】
また、ネジ挿入穴１５は、４つのネジ４を挿入可能に構成されている。また、バッフル１を矢印Ｘ２方向側から見た際のバッフル１の４隅近傍には、円形状の４つのネジ挿入穴１６が形成されている。また、４つのネジ挿入穴１６は、４つのネジ６を挿入可能に構成されている。また、バッフル１を矢印Ｘ２方向側から見た際のバッフル１の４隅近傍には、４つのネジ６の取り付けを行う際の所定の工具が接触するのを抑制するための面取部１７が形成されている。これら面取部１７は、それぞれ、図３に示すように、正面（矢印Ｘ２方向側）（図２参照）から見て、隣合う側壁部１１間がスピーカ本体取付穴１４側に湾曲した凹状の曲面によって接続されることにより形成されている。
【００２６】
また、図２に示すように、エンクロージャー２には、後面部２１と、側壁部２２と、接合端面２３と、ネジ取付穴２４と、曲面部２５(図６参照)とが設けられている。なお、側壁部２２および接合端面２３は、それぞれ、本発明の「第２側壁部」および「第２接合端面」の一例である。
【００２７】
また、本実施形態では、図２〜図４に示すように、後面部２１は、正面から見て、四角形状を有している。また、図６に示すように、側壁部２２は、後面部２１の表面からバッフル１の接合端面１２方向側（矢印Ｘ２方向側）に向かって突出するように、後面部２１と一体的に形成されている。また、図４〜図６に示すように、バッフル１の側壁部１１の前面部１０の表面と直交する方向側（矢印Ｘ方向側）の長さＬ１と、エンクロージャー２の側壁部２２の後面部２１の表面と直交する方向側（矢印Ｘ方向側）の長さＬ２とは、略等しい長さを有している。また、図６に示すように、後面部２１と、側壁部２２との内側には、曲面状に形成された曲面部２５が設けられている。
【００２８】
また、本実施形態では、エンクロージャー２の接合端面２３は、側壁部２２の矢印Ｘ２方向側の端部に設けられている。また、エンクロージャー２の側壁部２２は、後面部２１の外周側面の全周にわたって形成されており、接合端面２３も、側壁部２２と同様に、側壁部２２の矢印Ｘ２方向側の端部の全周にわたって形成されている。また、接合端面２３は、上記したように、接合端面１２と同様、平坦面状に形成されている。また、エンクロージャー２は、エンクロージャー２の接合端面２３とバッフル１の接合端面１２とが全面接触した状態で取り付けられることにより、バッフル１とともに箱形状を形成するように構成されている。また、接合端面２３には、円形状の４つのネジ取付穴２４が形成されている。これらネジ取付穴２４は、それぞれ、バッフル１のネジ挿入穴１６に対応するように形成されている。また、４つのネジ取付穴２４は、それぞれ、４つのネジ６がバッフル１のネジ挿入穴１６を介して締結可能に構成されている。また、バッフル１とエンクロージャー２とは、側壁部１１の接合端面１２と、側壁部２２の接合端面２３とが接触した状態で、ネジ６により固定されるように構成されている。また、４つのネジ取付穴２４には、ネジ山は形成されておらず、ネジ６がネジ取付穴２４に螺合される際に、その内周面にネジ部が形成される。
【００２９】
また、スピーカ本体３は、図２に示すように、樹脂製のフランジ部３１と、図示しないボイスコイルやフレームなどからなる本体部３２とから構成されている。また、フランジ部３１は、矢印Ｘ２方向側から見て、四角形状を有している。また、フランジ部３１は、平面的に見て、平板形状を有している。また、フランジ部３１を矢印Ｘ２方向側から視た際のフランジ部３１の４隅近傍には、円形状の４つのネジ挿入穴３１ａが形成されている。また、４つのネジ挿入穴３１ａは、ネジ４がバッフル１のネジ挿入穴１５を介して挿入可能に構成されている。また、スピーカ本体３は、ネジ挿入穴１５および３１ａに挿入された各ネジ４をスピーカ本体３の裏側（矢印Ｘ１方向側）からナット５で締結させることにより、バッフル１のスピーカ本体取付穴１４に取り付けられている。
【００３０】
本実施形態では、上記のように、エンクロージャー２を、バッフル１の側壁部１１のエンクロージャー２側の接合端面１２と、エンクロージャー２の側壁部２２のバッフル１側の接合端面２３とが接触するようにして、バッフル１に取り付けることによって、バッフル１およびエンクロージャー２の少なくともいずれか一方側が平板状に形成されている場合とは異なり、バッフル１およびエンクロージャー２の両方が側壁部（側壁部１１および２２）を備えた同様の構造になるので、各々の側壁部の端面である接合端面１２および２３における振動成分を互いに近似した振動成分にすることができる。これにより、バッフル１と、エンクロージャー２との取付部分近傍でビビリ音が発生するのを抑制することができる。また、前面部１０の表面から後方に向かって突出するように前面部１０と一体的に形成された側壁部１１を含むバッフル１と、後面部２１の表面からバッフル１に向かって突出するように後面部２１と一体的に形成された側壁部２２を含むエンクロージャー２とを設けることによって、ビビリ音が発生するのを抑制する部材を別途設けることなく、ビビリ音が発生するのを抑制することができるので、部品点数が増加するのを抑制することができる。
【００３１】
また、本実施形態では、上記のように、バッフル１の側壁部１１は、前面部１０に対して実質的に直交するように形成されており、エンクロージャー２の側壁部２２は、後面部２１に対して実質的に直交するように形成されていることによって、前面部１０と後面部２１との両方に対して垂直な側壁を有するスピーカ１００を得ることができる。
【００３２】
また、本実施形態では、上記のように、バッフル１の側壁部１１の前面部１０の表面と直交する方向の長さと、エンクロージャー２の側壁部２２の後面部２１の表面と直交する方向の長さとは、実質的に等しい長さを有することによって、バッフル１の側壁部１１の接合端面１２と、エンクロージャー２の側壁部２２の接合端面２３との両方の面近傍における振動成分をより近似した振動成分にすることができる。これにより、バッフル１と、エンクロージャー２との取付部分でよりビビリ音が発生するのを抑制することができる。
【００３３】
また、本実施形態では、上記のように、側壁部１１を有するバッフル１と、側壁部２２を有するエンクロージャー２とは、同一材料により形成されていることによって、振動がバッフル１からエンクロージャー２に伝わる際に、振動方向や振動の大きさを変化させることなく伝えることができる。これにより、側壁部１１の接合端面１２と、側壁部２２の接合端面２３との両方の面近傍に伝わる振動成分をさらに近似した振動成分にすることができるので、バッフル１と、エンクロージャー２との取付部分でさらにビビリ音が発生するのを抑制することができる。
【００３４】
また、本実施形態では、上記のように、スピーカ本体取付穴１４は、平面的に見て、凸形状の補強部１３を有するように形成されていることによって、スピーカ本体３から発生される振動によって、スピーカ本体取付穴１４が破損するのを抑制することができる。
【００３５】
また、本実施形態では、上記のように、バッフル１とエンクロージャー２とは、側壁部１１の接合端面１２と側壁部２２の接合端面２３とが面接触した状態で、ネジ６により固定されるように構成されていることによって、バッフル１の内部とエンクロージャー２の内部とが密閉された状態で、バッフル１をエンクロージャー２に対して固定することができる。
【００３６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３７】
たとえば、上記実施形態では、本発明のスピーカ装置の一例として密閉型のスピーカを示したが、本発明はこれに限らず、密閉型以外のスピーカにも適用可能である。
【００３８】
また、上記実施形態では、図５に示すように、バッフル１の側壁部１１の矢印Ｘ方向の長さＬ１と、エンクロージャー２の側壁部２２の矢印Ｘ方向の長さＬ２とが略等しい長さを有する例を示したが、本発明はこれに限らず、図７に示す第１変形例のように、バッフル１の側壁部１１ａの矢印Ｘ方向の長さＬ３が側壁部２２ａの矢印Ｘ方向の長さＬ４よりも小さい長さを有してもよいし、図８に示す第２変形例のように、バッフル１の側壁部１１ｂの矢印Ｘ方向の長さＬ５が側壁部２２ｂの矢印Ｘ方向の長さＬ６よりも大きい長さを有してもよい。
【図面の簡単な説明】
【００３９】
【図１】本発明の一実施形態によるスピーカの全体構成を示す斜視図である。
【図２】本発明の一実施形態によるスピーカの全体構成を示す分解斜視図である。
【図３】本発明の一実施形態によるスピーカの正面図である。
【図４】本発明の一実施形態によるスピーカの平面図である。
【図５】本発明の一実施形態によるスピーカの側面図である。
【図６】図３の２００−２００線に沿った断面図である。
【図７】本発明の一実施形態によるスピーカの第１変形例を説明するための側面図である。
【図８】本発明の一実施形態によるスピーカの第２変形例を説明するための側面図である。
【符号の説明】
【００４０】
１      バッフル（前側筐体）
２      エンクロージャー（後側筐体）
３      スピーカ本体
６      ネジ（ネジ部材）
１０    前面部
１１    側壁部（第１側壁部）
１２    接合端面（第１接合端面）
１３    補強部
１４    スピーカ本体取付穴（スピーカ本体取付部）
２１    後面部
２２    側壁部（第２側壁部）
２３    接合端面（第２接合端面）
１００  スピーカ（スピーカ装置）
【図１】
2009147570.tif 000003
【図２】
2009147570.tif 000004
【図３】
2009147570.tif 000005
【図４】
2009147570.tif 000006
【図５】
2009147570.tif 000007
【図６】
2009147570.tif 000008
【図７】
2009147570.tif 000009
【図８】
2009147570.tif 000010